(57)【要約】【課題】  オーディオ信号をリピート再生／出力しようとする場合、リピートしようとする区間が過ぎても、簡単な操作でリピート再生／出力できるようにする。【解決手段】  オーディオ再生／出力する場合、再生／出力しているオーディオ信号の区切りからの経過時間が予め設定された経過時間以上であれば当該再生／出力している区間を繰り返し再生／出力し、再生／出力しているオーディオ信号の区切りからの経過時間が予め設定された経過時間未満であれば当該再生／出力している区間の前の区間のオーディオ信号を繰り返し再生／出力する制御を行う。【選択図】      図１
2008226323.tif 000002
【特許請求の範囲】
【請求項１】
記録媒体に記録されたオーディオ信号を再生するオーディオ再生部と、
前記オーディオ再生部が再生したオーディオ信号の区切りを検出する検出部と、
オーディオ信号をリピート再生させる操作を行うためのリピート操作部と、
前記オーディオ再生部が再生したオーディオ信号を出力するオーディオ信号出力部と、
前記リピート操作部が操作されたとき繰り返し再生するオーディオ信号を選択するための経過時間を設定する時間設定部と、
前記リピート操作部が操作されたとき、再生しているオーディオ信号の区切りからの経過時間が前記時間設定部によって設定された経過時間以上であれば当該再生している区間のオーディオ信号を前記オーディオ再生部に繰り返し再生させ、再生しているオーディオ信号の区切りからの経過時間が前記時間設定部によって設定された経過時間未満であれば当該再生しているオーディオ信号の前の区間のオーディオ信号を前記オーディオ再生部に繰り返し再生させる制御部と
を備えることを特徴とするオーディオ再生装置。
【請求項２】
リピート再生させる操作が行われたとき繰り返し再生するオーディオ信号を選択するための区切りからの経過時間を設定するステップと、
記録媒体に記録されたオーディオ信号を再生するステップと、
再生されたオーディオ信号の区切りを検出するステップと、
オーディオ信号をリピート再生させる操作を行うステップと、
オーディオ信号の再生経過時間を監視するステップと、
再生しているオーディオ信号の区切りからの経過時間が設定された経過時間以上であれば当該再生している区間のオーディオ信号を繰り返し再生し、再生しているオーディオ信号の区切りからの経過時間が設定された経過時間未満であれば当該再生しているオーディオ信号の前の区間のオーディオ信号を繰り返し再生するステップと
を備えることを特徴とするオーディオ再生方法。
【請求項３】
オーディオ信号を入力するオーディオ信号入力部と、
前記オーディオ信号入力部によって入力されたオーディオ信号の区切りを検出する検出部と、
前記検出部が検出した区切りによって決定される区間毎にオーディオ信号を記憶する記憶部と、
オーディオ信号をリピート再生させる操作を行うためのリピート操作部と、
オーディオ信号を出力するオーディオ信号出力部と、
前記リピート操作部が操作されたとき繰り返し再生するオーディオ信号を選択するための経過時間を設定する時間設定部と、
前記リピート操作部が操作されたとき、前記オーディオ信号出力部が出力しているオーディオ信号の区切りからの経過時間が前記時間設定部によって設定された経過時間以上であれば当該出力している区間のオーディオ信号を前記記憶部から読み出して前記オーディオ信号出力部に繰り返し出力させ、前記オーディオ信号出力部が出力しているオーディオ信号の区切りからの経過時間が前記時間設定部によって設定された経過時間未満であれば当該再生しているオーディオ信号の前の区間のオーディオ信号を前記記憶部から読み出して前記オーディオ信号出力部に繰り返し出力させる制御部と
を備えることを特徴とするオーディオ信号処理装置。
【請求項４】
リピート出力させる操作が行われたとき繰り返し出力するオーディオ信号を選択するための区切りからの経過時間を設定するステップと、
入力されたオーディオ信号の区切りを検出するステップと、
オーディオ信号の区切りによって決定される区間毎にオーディオ信号を記憶するステップと、
オーディオ信号をリピート出力させる操作を行うステップと、
オーディオ信号の出力経過時間を監視するステップと、
検出された前記区切りによって区切られた区間のオーディオ信号を繰り返し出力させるステップと、
出力しているオーディオ信号の区切りからの経過時間が設定された経過時間以上であれば当該出力している区間のオーディオ信号を繰り返し出力し、出力しているオーディオ信号の区切りからの経過時間が設定された経過時間未満であれば当該出力しているオーディオ信号の前の区間のオーディオ信号を繰り返し出力するステップと
を備えることを特徴とするオーディオ信号処理方法。
【発明の詳細な説明】
【技術分野】
【０００１】
本発明は、オーディオ信号を繰り返し再生するオーディオ再生装置及びオーディオ再生方法、並びにオーディオ信号を繰り返し出力するオーディオ信号処理装置及びオーディオ信号処理方法に関する。
【背景技術】
【０００２】
英語などの語学を学習する用途に使用されるオーディオ再生装置として、ＣＤ(Compact Disc)再生装置、ＭＤ(Mini Disc)再生装置、メモリープレーヤ、ＨＤ(Hard Disc)プレーヤなどが使用されている。
従来、オーディオ再生装置では、記録トラック単位で繰り返し（リピート）再生する機能を備えた装置、記録トラックの中に記録されている複数の文の無音部分を区切りとして検出し、それぞれの文単位でリピート再生する機能を備えた装置があった(特許文献１参照)。
【０００３】
【特許文献１】特開２００５−０９２１６９号公報
【発明の開示】
【発明が解決しようとする課題】
【０００４】
使用者が、語学学習のためのリスニングに集中していると、第１の文が再生された後に、その文をリピート再生させたい場合、文をリピート再生できる機能を備えた再生装置であっても、通常のリピート操作では間に合わずに、第２の文に入ってからリピート操作が受け付けられてしまい、第２の文がリピート再生されてしまうことがあった。特に、ペースの速い教材(無音部分が短い教材)の文を聞きながら操作する場合など、スムーズにリピート再生を行うことが難しい場合があった。
【０００５】
特許文献１の装置において、一定の無音部を検出して文を区切るが、リピート操作の対象となる区間が、次の文にかかってしまった場合には、その文をセンテンスリピートとして再生するため、ペースの速い教材や無音部の短い教材の文を聞きながら操作していてリピート操作が遅れた場合、本来ユーザが聞きなおしたい文と異なる文をリピート再生してしまうことがあった。
このように、リピート操作に難しさがあると、使用者は、リピート操作にばかり気を取られ、本来の目的であるリスニングに集中できなくなることもあった。
【０００６】
本発明の目的は、オーディオ再生装置／方法、オーディオ信号処理装置／方法において、リピート操作が少し遅れた場合であっても、リピート操作が文の終了後一定時間（例えば２秒）以内であれば、次の文の再生／出力に入っていても、その１つ前の文をリピート再生／出力することができるようにして、操作性を改善することにある。使用者は、リピート操作に気を取られることなく、安心してリスニングに集中することができるようになる。
【課題を解決するための手段】
【０００７】
本発明に係るオーディオ再生装置は、記録媒体に記録されたオーディオ信号を再生するオーディオ再生部と、前記オーディオ再生部が再生したオーディオ信号の区切りを検出する検出部と、オーディオ信号をリピート再生させる操作を行うためのリピート操作部と、前記オーディオ再生部が再生したオーディオ信号を出力するオーディオ信号出力部と、前記リピート操作部が操作されたとき繰り返し再生するオーディオ信号を選択するための経過時間を設定する時間設定部と、前記リピート操作部が操作されたとき、再生しているオーディオ信号の区切りからの経過時間が前記時間設定部によって設定された経過時間以上であれば当該再生している区間のオーディオ信号を前記オーディオ再生部に繰り返し再生させ、再生しているオーディオ信号の区切りからの経過時間が前記時間設定部によって設定された経過時間未満であれば当該再生しているオーディオ信号の前の区間のオーディオ信号を前記オーディオ再生部に繰り返し再生させる制御部とを備える。
【０００８】
本発明に係るオーディオ再生方法は、リピート再生させる操作が行われたとき繰り返し再生するオーディオ信号を選択するための区切りからの経過時間を設定するステップと、記録媒体に記録されたオーディオ信号を再生するステップと、再生されたオーディオ信号の区切りを検出するステップと、オーディオ信号をリピート再生させる操作を行うステップと、オーディオ信号の再生経過時間を監視するステップと、再生しているオーディオ信号の区切りからの経過時間が設定された経過時間以上であれば当該再生している区間のオーディオ信号を繰り返し再生し、再生しているオーディオ信号の区切りからの経過時間が設定された経過時間未満であれば当該再生しているオーディオ信号の前の区間のオーディオ信号を繰り返し再生するステップとを備える。
【０００９】
本発明に係るオーディオ信号処理装置は、オーディオ信号を入力するオーディオ信号入力部と、前記オーディオ信号入力部によって入力されたオーディオ信号の区切りを検出する検出部と、前記検出部が検出した区切りによって決定される区間毎にオーディオ信号を記憶する記憶部と、オーディオ信号をリピート再生させる操作を行うためのリピート操作部と、オーディオ信号を出力するオーディオ信号出力部と、前記リピート操作部が操作されたとき繰り返し再生するオーディオ信号を選択するための経過時間を設定する時間設定部と、前記リピート操作部が操作されたとき、前記オーディオ信号出力部が出力しているオーディオ信号の区切りからの経過時間が前記時間設定部によって設定された経過時間以上であれば当該出力している区間のオーディオ信号を前記記憶部から読み出して前記オーディオ信号出力部に繰り返し出力させ、前記オーディオ信号出力部が出力しているオーディオ信号の区切りからの経過時間が前記時間設定部によって設定された経過時間未満であれば当該再生しているオーディオ信号の前の区間のオーディオ信号を前記記憶部から読み出して前記オーディオ信号出力部に繰り返し出力させる制御部とを備える。
【００１０】
本発明に係るオーディオ信号処理方法は、リピート出力させる操作が行われたとき繰り返し出力するオーディオ信号を選択するための区切りからの経過時間を設定するステップと、入力されたオーディオ信号の区切りを検出するステップと、オーディオ信号の区切りによって決定される区間毎にオーディオ信号を記憶するステップと、オーディオ信号をリピート出力させる操作を行うステップと、オーディオ信号の出力経過時間を監視するステップと、検出された前記区切りによって区切られた区間のオーディオ信号を繰り返し出力させるステップと、出力しているオーディオ信号の区切りからの経過時間が設定された経過時間以上であれば当該出力している区間のオーディオ信号を繰り返し出力し、出力しているオーディオ信号の区切りからの経過時間が設定された経過時間未満であれば当該出力しているオーディオ信号の前の区間のオーディオ信号を繰り返し出力するステップとを備える。
【発明の効果】
【００１１】
本発明のオーディオ再生装置及び方法によれば、リピートしようとする文の再生が過ぎた場合でも、予め定めた時間内であれば、再生し終えた文を簡単な操作でリピート再生することができる。
本発明のオーディオ信号処理装置及び方法によれば、リピートしようとする文の出力が過ぎた場合でも、予め定めた時間内であれば、出力し終えた文を簡単な操作でリピート出力することができる。
【発明を実施するための最良の形態】
【００１２】
図１は、本発明のオーディオ再生装置の実施形態の構成を示すブロック図である。
記録媒体読取部１は、語学学習のための音声のディジタルオーディオ信号等が記録されている、ＣＤ、ＭＤ、不揮発性メモリ、ＨＤ等の記録媒体から、ディジタルオーディオ信号を読み取る。
信号処理部２は、ＤＳＰ(Digital Signal Processor)を用いて構成され、記録媒体読取部１が読み取ったディジタルオーディオ信号を信号処理する。
信号レベル検出部３は、信号処理部２が信号処理したディジタルオーディオ信号の振幅レベルを監視し、予め決められた閾値レベル以下のディジタルオーディオ信号を無音として検出する。
オーディオ復調部４は、信号レベル検出部４からのディジタルオーディオ信号を復調する。
オーディオ出力部５は、スピーカ又はヘッドホンを備え、オーディオ復調部４が復調し出力したアナログオーディオ信号を音に変換して出力する。
【００１３】
制御マイコン部６は、記録媒体読取部１、信号処理部２を制御する。
制御マイコン部６は、信号レベル検出部３が検出したディジタルオーディオ信号の無音が予め定められた時間以上連続する部分を、オーディオ信号の区切り、例えば、語学学習の音声のディジタルオーディオ信号であれば文の区切りとして、検出し、当該区切りの記録媒体上の位置を示す時間情報（アドレス）をメモリ７に記憶する。
メモリ７は、区切りアドレス記憶領域７ａ、７ｂを備える。メモリ７は、制御マイコン部６を構成するマイコンの内蔵メモリを用いて構成することもできる。
制御マイコン部６は、信号レベル検出部３が最初に検出した区切りを第１の区間の開始位置、２番目に検出した区切りを第１の区間の終了位置として、区切りアドレス記憶領域７ａに記憶する。
【００１４】
制御マイコン部６は、信号レベル検出部３が２番目に検出した区切り（第１の区間の終了位置）を第２の区間の開始位置、信号レベル検出部３が３番目に検出した区切りを第２の区間の終了位置として、区切りアドレス記憶領域７ｂに記憶する。
制御マイコン部６は、信号レベル検出部３が３番目に検出した区切り（第２の区間の終了位置）を第３の区間の開始位置、信号レベル検出部３が４番目に検出した区切りを第３の区間の終了位置として、区切りアドレス記憶領域７ａに上書きして記憶する。
また、制御マイコン部６は、信号レベル検出部３が４番目に検出した区切り（第３の区間の終了位置）を第４の区間の開始位置、信号レベル検出部３が５番目に検出した区切りを第４の区間の終了位置として、区切りアドレス記憶領域７ｂに上書きして記憶する。
【００１５】
このように、信号レベル検出部３が検出した区切り位置は、区間の開始位置と終了位置として、メモリ７に、オーディオ再生の進行に応じて更新しながら、区切りアドレス記憶領域７ａ、７ｂに交互に記憶される。区切りアドレス記憶領域７ａ、７ｂには、一方に、現在、再生している区間の開始位置が記憶され、他方に一つ前に再生した区間の開始位置と終了位置が記憶された状態となる。
時間設定部８は、リピート再生操作が行われたときリピート再生するオーディオ信号を選択するための経過時間を設定する。時間設定部８の設定は、オーディオ再生装置の使用者又は製造者によって操作部９を介して行われ、例えば、経過時間の設定値＝２秒と設定される。
操作部９は、リピート再生操作を行うためのリピートボタンを備える。
【００１６】
操作部９のリピートボタンが押されると、制御マイコン部６は、現在、再生しているオーディオ信号の区間の開始位置からの経過時間が時間設定部８に設定された経過時間２秒を経過していれば、当該再生している区間の開始位置をメモリ７の区切りアドレス記憶領域７ａ、７ｂのいずれか記憶されている方の記憶領域から読み出し、記録媒体読取部１に、当該再生している区間のオーディオ信号を記録媒体の当該再生している区間の開始位置から読み取らせることによって、リピート再生を行う。
また、操作部９のリピートボタンが押されたとき、現在、再生しているオーディオ信号の区間の開始位置からの経過時間が時間設定部８に設定された経過時間２秒未満であれば、制御マイコン部６は、一つ前に再生した区間の開始位置及び終了位置をメモリ７の区切りアドレス記憶領域７ａ、７ｂのいずれか記憶されている方の記憶領域から読み出し、記録媒体読取部１に、当該一つ前に再生した区間のオーディオ信号を記録媒体の当該一つ前に再生した区間の開始位置から終了位置まで読み取らせることによって、リピート再生を行う。
【００１７】
図２は、本発明のオーディオ再生方法の実施形態の処理の流れを示すフローチャートである。
予め、リピート再生操作が行われたときリピート再生するオーディオ信号を選択するための経過時間を、例えば２秒として設定する(S1)。
語学学習のための音声のディジタルオーディオ信号等が記録されている、ＣＤ、ＭＤ、不揮発性メモリ、ＨＤ等の記録媒体から、ディジタルオーディオ信号の再生を開始する(S2)。
【００１８】
オーディオ再生を開始すると、記録媒体上の開始位置を示す時間情報（アドレス）を、第１の区間の開始位置A1として記憶する(S3)。
ディジタルオーディオ信号を再生し(S4)、ディジタルオーディオ信号の振幅レベルを監視し、予め決められた閾値レベル以下のディジタルオーディオ信号が予め定められた時間（例えば0.5秒）以上連続する部分を区切りとして検出する(S5)。検出した区切りの記録媒体上の位置を示す時間情報（アドレス）を、第１の区間の終了位置B1及び第２の区間の開始位置A2として記憶する(S6)。
【００１９】
使用者がリピート再生操作をすると(S7でYES)、現在、再生しているオーディオ信号の区間の開始位置からの経過時間を監視し(S8)、経過時間がS1で設定された経過時間２秒未満であれば(S8でYES)、一つ前に再生した区間の開始位置A1から終了位置B1までのオーディオ信号を記録媒体から再生することによって、リピート再生を行う(S9)。リピート再生した後、オーディオ再生を続行し(S11)、S7のリピート再生操作の有無の確認に戻って処理を続行する。
また、現在、再生しているオーディオ信号の区間の開始位置からの経過時間がS1で設定された経過時間２秒以上であれば(S8でNO)、再生しているオーディオ信号の区間の開始位置A2からのオーディオ信号を記録媒体から再生することによって、リピート再生を行う(S10)。リピート再生した後、オーディオ再生を続行し(S11)、S7のリピート再生操作の有無の確認に戻って処理を続行する。
【００２０】
リピート再生操作が行われなければ(S7でNO)、そのままオーディオ再生を続行し、次のオーディオ信号の区切りが検出されれば(S12でYES)、検出した区切りを、第２の区間の終了位置B2及び第３の区間の開始位置A1として記憶する(S13)。再生終了する(S14でYESになる)まで、S4からS13の処理を行った後、オーディオ再生を終了する。
【００２１】
図３は、本発明のオーディオ信号処理装置の実施形態の構成を示すブロック図である。
入力端子１０は、外部からのディジタルオーディオ信号を信号処理部２に入力する。
信号処理部２は、ＤＳＰを用いて構成され、記録媒体読取部１が読み取ったディジタルオーディオ信号を信号処理する。
信号レベル検出部３は、信号処理部２が信号処理したディジタルオーディオ信号の振幅レベルを監視し、予め決められた閾値レベル以下のディジタルオーディオ信号を無音として検出する。
出力端子１１は、信号レベル検出部３から出力されるディジタルオーディオ信号を外部に出力する。
【００２２】
制御マイコン部６は、信号処理部２を制御する。
制御マイコン部６は、信号レベル検出部３が検出したディジタルオーディオ信号の無音が予め定められた時間以上連続する部分を区切りとして検出する。
メモリ７は、区間オーディオ記憶領域７ｃ、７ｄを備え、区切りによって定められる区間のディジタルオーディオ信号を、区間オーディオ記憶領域７ｃ、７ｄに記憶する。
制御マイコン部６は、信号レベル検出部３が最初に検出した区切りを第１の区間の開始位置、２番目に検出した区切りを第１の区間の終了位置として、第１の区間のディジタルオーディオ信号を区間オーディオ記憶領域７ｃに記憶する。
【００２３】
制御マイコン部６は、信号レベル検出部３が２番目に検出した区切り（第１の区間の終了位置）を第２の区間の開始位置、信号レベル検出部３が３番目に検出した区切りを第２の区間の終了位置として、区間オーディオ記憶領域７ｃに記憶する。
制御マイコン部６は、信号レベル検出部３が３番目に検出した区切り（第２の区間の終了位置）を第３の区間の開始位置、信号レベル検出部３が４番目に検出した区切りを第３の区間の終了位置として、区間オーディオ記憶領域７ｃに上書きして記憶する。
また、制御マイコン部６は、信号レベル検出部３が４番目に検出した区切り（第３の区間の終了位置）を第４の区間の開始位置、信号レベル検出部３が５番目に検出した区切りを第４の区間の終了位置として、区間オーディオ記憶領域７ｄに上書きして記憶する。
【００２４】
このように、信号レベル検出部３が検出した区切り位置によって区間の開始位置と終了位置が定められ、各区間のディジタルオーディオ信号が、メモリ７に、オーディオ信号処理出力の進行に応じて更新しながら、区間オーディオ記憶領域７ｃ、７ｄに交互に記憶される。区間オーディオ記憶領域７ｃ、７ｄには、一方に現在入力している区間のディジタルオーディオ信号が記憶され、他方に一つ前に出力した区間のディジタルオーディオ信号が記憶された状態となる。
時間設定部８は、リピート出力操作が行われたときリピート出力するオーディオ信号を選択するための経過時間を設定する。時間設定部８の設定は、オーディオ信号処理装置の使用者又は製造者によって操作部９を介して行われ、例えば、経過時間の設定値＝２秒と設定される。
操作部９は、リピート出力操作を行うためのリピートボタンを備える。
【００２５】
操作部９のリピートボタンが押されると、制御マイコン部６は、現在、信号処理出力しているオーディオ信号の区間の開始位置からの経過時間が時間設定部８に設定された経過時間２秒を経過していれば、当該信号処理出力している区間のディジタルオーディオ信号をメモリ７の区間オーディオ記憶領域７ｃ、７ｄのいずれか記憶されている方の記憶領域から読み出し、リピート出力を行う。
また、操作部９のリピートボタンが押されたとき、現在、信号処理出力しているオーディオ信号の区間の開始位置からの経過時間が時間設定部８に設定された経過時間２秒未満であれば、制御マイコン部６は、一つ前に信号処理出力した区間のディジタルオーディオ信号をメモリ７の区間オーディオ記憶領域７ｃ、７ｄのいずれか記憶されている方の記憶領域から読み出し、リピート出力を行う。
【００２６】
図４は、本発明のオーディオ信号処理方法の実施形態の処理の流れを示すフローチャートである。
予め、リピート出力操作が行われたときリピート出力するオーディオ信号を選択するための経過時間を、例えば２秒として設定する(ST1)。
【００２７】
語学学習のための音声のディジタルオーディオ信号等が入力されると(ST2)、入力開始時からディジタルオーディオ信号の記憶を開始する(ST3)。
ディジタルオーディオ信号の振幅レベルを監視し、予め決められた閾値レベル以下のディジタルオーディオ信号が予め定められた時間（例えば0.5秒）以上連続する部分を区切りとして検出する(ST4)。検出した区切りC1までのディジタルオーディオ信号を第１の区間として記憶し、区切りC1以降のディジタルオーディオ信号は、区間を切り換え、第２の区間として記憶する(ST5)。
【００２８】
使用者がリピート出力操作をすると(ST6でYES)、現在、信号処理出力しているオーディオ信号の区間（ここでは第２の区間）の開始時（第２の区間であればC1）からの経過時間を監視し(ST7)、経過時間がST1で設定された経過時間２秒未満であれば(ST7でYES)、一つ前に信号処理出力した区間（ここでは第１の区間）のディジタルオーディオ信号を読み出して出力することによって、リピート出力を行う(ST8)。リピート出力した後、ST6のリピート操作の有無の確認に戻って処理を続行する。
また、現在、信号処理出力しているオーディオ信号の区間の開始時からの経過時間がST1で設定された経過時間２秒以上であれば(ST7でNO)、信号処理出力しているオーディオ信号の区間（ここでは第２の区間）の開始時からのディジタルオーディオ信号を読み出して出力することによって、リピート出力を行う(ST9)。リピート出力した後、ST6のリピート操作の有無の確認に戻って処理を続行する。
【００２９】
リピート出力操作が行われなければ(ST6でNO)、オーディオ出力を続行し、次のオーディオ信号の区切りが検出されれば(ST10でYES)、検出した区切りC2で区間を切り換え、第２の区間の終了及び第３の区間の開始としてディジタルオーディオ信号を記憶する(ST11)。
オーディオ信号入力が終了する(ST12でYESになる)まで、ST4からST11の処理を行った後、オーディオ出力を終了する。
【図面の簡単な説明】
【００３０】
【図１】本発明のオーディオ再生装置の実施形態の構成を示すブロック図である。
【図２】本発明のオーディオ再生方法の実施形態の処理の流れを示すフローチャートである。
【図３】本発明のオーディオ信号処理装置の実施形態の構成を示すブロック図である。
【図４】本発明のオーディオ信号処理方法の実施形態の処理の流れを示すフローチャートである。
【符号の説明】
【００３１】
１  記録媒体読取部
２  信号処理部
３  信号レベル検出部
４  オーディオ復調部
５  オーディオ出力部
６  制御マイコン部
７  メモリ
８  時間設定部
９  操作部
１０  入力端子
１１  出力端子
【図１】
2008226323.tif 000003
【図２】
2008226323.tif 000004
【図３】
2008226323.tif 000005
【図４】
2008226323.tif 000006